(57)【要約】【課題】現場において、クローゼットや流し台据付部といったいわゆる専用空間部を容易かつ正確に施工することのできる施工方法を提供する。【解決手段】建物Ｂ内において、クローゼット５ａ、押入５ｂ、トイレ５ｄ、流し台据付部５ｅ、洗面台据付部５ｆ、造付家具据付部５ｇ、ピアノ据付部５ｈといった専用空間部５を施工する方法であって、工場において、前記専用空間部５に対応した寸法の専用床板１を製造し、現場において、前記専用床板１を、前記専用空間部５の床下地材３上に敷設し、敷設した前記専用床板１を位置決め部材として、前記専用空間部５を設置する軸組みパネル等の専用空間部設置部材２，５０を、前記専用床板１に配置していく。【選択図】      図４
2005226314.tif 000002
【特許請求の範囲】
【請求項１】
建物内において、クローゼット、押入、物入、トイレ、流し台据付部、洗面台据付部、造付家具据付部、ピアノ据付部といった専用空間部を施工する方法であって、
工場において、前記専用空間部に対応した寸法の専用床板を製造し、
現場において、前記専用床板を、前記専用空間部の床下地材上に敷設し、敷設した前記専用床板を位置決め部材として、前記専用空間部を設置する軸組みパネル等の専用空間部設置部材を、前記専用床板に配置していくことを特徴とする建物専用空間部の施工方法。
【請求項２】
工場において、前記専用床板を製造する際に、その所定箇所に、前記専用空間部設置部材の設置位置を決定する位置決め部を形成してなることを特徴とする請求項１に記載の建物専用空間部の施工方法。
【請求項３】
パネル材にて仕切られる前記専用空間部ごとに前記専用床板を製造し、床下地材上に敷設した前記専用床板の縁部に沿って、前記パネル材を立設することを特徴とする請求項１又は２に記載の建物専用空間部の施工方法。
【請求項４】
工場において、前記専用床板を製造する際に、その所定箇所に給水管や排水管などの配管を通す配管孔部を形成してなることを特徴とする請求項１乃至３のうちいずれか一つに記載の建物専用空間部の施工方法。
【発明の詳細な説明】
【技術分野】
【０００１】
本発明は、建物内において、クローゼット、押入あるいはトイレ、さらには流し台据付部や洗面台据付部といったいわゆる専用空間部を施工する方法に関するものである。
【背景技術】
【０００２】
建物のリビングルームや廊下等には、その床下地材の上にフローリング等の表面仕上げ材が敷設される。一方、例えば、クローゼットや押入、あるいは流し台据付部や洗面台据付部といったいわゆる専用空間部には、リビングルームや廊下等の表面仕上げ材と一体的に床下地材の上に、前記と同様の仕上げ材が敷設されるか、もしくはクッションフロアーやシナ合板、タイル等、専用仕上げ材が敷設される。
【０００３】
そして、例えば、クローゼットを軸組みパネルにて施工する場合は、図１２に示すように、まず床下地材３の上に表面仕上げ材２０を敷設した後、その上に軸組みを立設し、軸組みの上にプラスターボードを貼り、軸組みパネル３０とするか、もしくは、図１３および図１４に示すように、床下地材３の上に軸組みを立設した後、その軸組みにプラスターボードを貼付け、その軸組みパネル３０で囲まれた床部分の寸法を実測し、それに対応する専用仕上げ材４０を現場において製造し、床下地材３の上に敷設している。
【発明の開示】
【発明が解決しようとする課題】
【０００４】
しかしながら、この従来の施工方法では、いずれも軸組みの立設位置を確定することが困難で、現場における作業が面倒であると共に、立設位置の狂いが発生し易いといった問題がある。より具体的には、従来の施工方法では、現場で図面を確認し、軸組みの寸法および立設位置を把握した上で、表面仕上げ材２０もしくは床下地材３の上に、前記情報を明示するために、実測して墨付けをする必要がある。
【０００５】
また、表面仕上げ材を床下地材上に先行して敷設し、その上に専用空間部設置部材を配置していく場合は、表面仕上げ材の施工が容易ではあるが、専用空間部の仕上げ材としてはコストまたは性能の面から不適切な部材を設置することになるといった問題もある。より具体的には、不要なところに相対的に高コストとなるフローリングを敷設することとなったり、逆に、耐水性、耐荷重性等の性能面からして、通常のフローリングでは不十分である専用空間部に、通常のフローリングを敷設することがある。
さらに、表面仕上げ材を先行した場合は、専用空間部のリフォームの際に、周辺の表面仕上げ材まで付随して破損してしまうため、本来、リフォームが不要であった表面仕上げ材の分だけ、余計にコストがかかるといった問題もある。
【０００６】
そこで、本発明の目的とするところは、現場において、クローゼットや、流し台据付部といったいわゆる専用空間部を容易かつ正確に施工することのできる施工方法を提供することにある。
【課題を解決するための手段】
【０００７】
上記の目的を達成するために本発明の請求項１に記載の建物専用空間部の施工方法は、建物（Ｂ）内において、クローゼット（５ａ）、押入（５ｂ）、物入（５ｃ）、トイレ（５ｄ）、流し台据付部（５ｅ）、洗面台据付部（５ｆ）、造付家具据付部（５ｇ）、ピアノ据付部（５ｈ）といった専用空間部（５）を施工する方法であって、
工場において、前記専用空間部（５）に対応した寸法の専用床板（１）を製造し、現場において、前記専用床板（１）を、前記専用空間部（５）の床下地材（３）上に敷設し、敷設した前記専用床板（１）を位置決め部材として、前記専用空間部（５）を設置する軸組みパネル等の専用空間部設置部材（２，５０）を、前記専用床板（１）に配置していくことを特徴とする。
【０００８】
また、請求項２に記載の発明は、工場において、前記専用床板（１）を製造する際に、その所定箇所に、前記専用空間部設置部材（２，５０）の設置位置を決定する位置決め部（１ａ）を形成してなることを特徴とする。
【０００９】
さらに、請求項３に記載の発明は、パネル材（５０）にて仕切られる前記専用空間部（５）ごとに前記専用床板（１）を製造し、床下地材（３）上に敷設した前記専用床板（１）の縁部に沿って、前記パネル材（５０）を立設することを特徴とする。
【００１０】
さらにまた、請求項４に記載の発明は、工場において、前記専用床板（１）を製造する際に、その所定箇所に給水管や排水管などの配管を通す配管孔部（１ｂ）を形成してなることを特徴とする。
【００１１】
なお、カッコ内の記号は、図面および後述する発明を実施するための最良の形態に記載された対応要素または対応事項を示す。
【発明の効果】
【００１２】
本発明の請求項１に記載の建物専用空間部の施工方法によれば、工場において専用空間部に対応した寸法の専用床板を製造し、現場において、その専用床板を専用空間部の床下地材の上に敷設し、敷設した専用床板を位置決め部材として、専用空間部を設置する軸組みパネル等の専用空間部設置部材を、専用床板に配置していくので、現場での作業が容易となる。
【００１３】
すなわち、例えば、クローゼットを施工する場合、工場でクローゼットに対応した寸法の専用床板を位置決め部材として製造し、現場で、その専用床板をクローゼットの床下地材上に敷設した後、敷設した専用床板を位置決め部材として、専用空間部を設置する専用空間部設置部材を、専用床板に配置していく。
従って、従来のように、軸組みパネルを立設した後、それによって囲まれた床部分の寸法を実測して、現場において、それに対応した専用床板を製造するといった作業を必要としない。その結果、現場における作業が容易となり、また、専用床板に成形誤差が生じることもない。
【００１４】
また、請求項２に記載の発明によれば、請求項１に記載の発明の作用効果に加えて、工場において専用床板を製造する際に、その所定箇所に、専用空間部設置部材の設置位置を決定する位置決め部を形成するので、専用空間部設置部材を正確な位置に設けることができる。
【００１５】
さらに、請求項３に記載の発明によれば、請求項１又は２に記載の発明の作用効果に加えて、パネル材にて仕切られる専用空間部ごとに専用床板を製造し、床下地材上に敷設した専用床板の縁部に沿って、パネル材を立設するので、位置決め用の印等を付ける必要がなく、現場における作業が一層容易となる。
【００１６】
さらにまた、請求項４に記載の発明によれば、請求項１乃至３に記載の発明の作用効果に加えて、工場において専用床板を製造する際に、その所定箇所に給水管や排水管などの配管を通す配管孔部を形成するので、給水管などの配管を正確な位置に通すことができる。また、現場で床下地材に配管孔部を形成する際にも、配管孔部を形成した専用床板が治具となり、現場で容易に精度の良い加工ができる。
【発明を実施するための最良の形態】
【００１７】
図１乃至図５を参照して、本発明の第一実施形態に係る建物専用空間部の施工方法について説明する。図１は専用空間部５を有する建物Ｂの一階部分を示す平面図であり、図２はその二階部分を示す平面図である。また、図３乃至図５は、当該施工方法を示す説明図である。
【００１８】
この建物専用空間部の施工方法は、一般的な木造家屋において、クローゼット５ａ（専用空間部５）をフローリング４を敷設しない部分（なお、フローリング４を敷設した部分に専用空間部５を設けることもある）に施工する方法である。
まず、工場においてクローゼット５ａに対応した寸法の専用床板１を製造する（図示せず）。このとき、専用床板１を所定寸法に裁断した後（あるいは裁断するに先立ち）、その所定箇所に、専用空間部設置部材として機能する縦枠材２の立設位置を決定する位置決め部１ａを形成する。この位置決め部１ａの構造は限定されず、例えば、単なる印でも良いし、また、縦枠材２の下端部が嵌入できる凹部としても良い。
次に、この専用床板１を現場まで搬送した後、クローゼット５ａの床下地材３上に敷設する（図３参照）。そして、この専用床板１の位置決め部１ａに縦枠材２を立設する（図４、５）。なお、この縦枠材２には壁材を取付ける。
【００１９】
本実施形態に係る施工方法は、工場においてクローゼット５ａの寸法に対応した専用床板１を製造し、かつ、所定箇所に位置決め部１ａを形成するので、現場においては、単にその専用床板１を床下地材３の上に敷設し、位置決め部１ａに縦枠材２を立設すれば良い。
従って、現場において、クローゼット５ａの寸法を実測して墨付けを行ったり、それに対応した専用床板１を製造するといった作業を必要としないので作業が容易となり、また、専用床板１の成形に誤差が生じない。さらに、位置決め部１ａによって縦枠材２を正確な位置に立設することができる。
【００２０】
なお、上記実施形態と同様の方法によって、クローゼット５ａの他に、押入５ｂ、物入５ｃ、トイレ５ｄを施工することができる。
【００２１】
次に、図６および図７を参照して、本発明の第二実施形態に係る専用空間部の施工方法について説明する。図６および図７は、当該施工方法を示す説明図である。
これは、流し台据付部５ｅ（専用空間部５）を施工する方法である。まず、工場において流し台据付部５ｅに対応した寸法の専用床板１を製造する（図示せず）。このとき、専用床板１を所定の寸法に裁断した後、その所定箇所に、給水管、排水管、給湯管およびガス管を通すための配管孔部１ｂを形成する。そして、その専用床板１を現場まで搬送した後、流し台据付部５ｅの床下地材３上に敷設する。
【００２２】
この施工方法は、工場で流し台の寸法に対応した専用床板１を製造し、かつ、その所定箇所に配管孔部１ｂを形成するので、現場における作業が容易となる。また、配管を正確に設けることができる。
【００２３】
なお、上記実施形態に係る方法によって、流し台据付部５ｅの他に、トイレ５ｄ、洗面台据付部５ｆ、造付家具据付部５ｇあるいはピアノ据付部５ｈといった専用空間部５を施工することができる。
【００２４】
次に、図８乃至および図１１を参照して、本発明の第三実施形態に係る専用空間部の施工方法について説明する。図８乃至および図１１は、当該施工方法を示す説明図である。
これは、パネル材５０にて仕切られる専用空間部ごとに専用床板１を製造し、床下地材３上に敷設した専用床板１の縁部に沿って、専用空間部設置部材として機能するパネル材５０を立設する施工する方法である。なお、図１０および図１１では、パネル材５０の軸組みを示したが、この軸組み上にプラスターボード等が貼着される。
【００２５】
まず、工場において専用空間部ごとに対応した寸法の専用床板１を製造する（図示せず）。そして、その専用床板１を現場まで搬送した後、図８および図９で示すように、専用空間部の床下地材３上に敷設する。次に、図１０および図１１で示すように、パネル材５０を、床下地材３上に敷設した専用床板１の縁部に沿って立設させる。なお、専用床板１を直接、床下地材３上ではなく、表面仕上げ材２０を介して敷設してもよい。
【００２６】
この施工方法によれば、床下地材３上に敷設した専用床板１の縁部に沿って、パネル材５０を立設するので、位置決め用の印等を付ける必要がなく、現場における作業が一層容易となる。
【図面の簡単な説明】
【００２７】
【図１】専用空間部を有する建物の一階部分を示す平面図である。
【図２】図１に示す建物二階部分を示す平面図である。
【図３】本発明の第一実施形態に係る施工方法を示すもので、専用床板を床下地材上に敷設する状態を示す斜視図である。
【図４】本発明の第一実施形態において、専用床板の上に縦枠材を立設する状態を示す斜視図である。
【図５】本発明の第一実施形態において、専用床板の上に縦枠材を立設した状態を示す側面図である。
【図６】本発明の第二実施形態に係る施工方法を示すもので、専用床板を床下地材上に敷設する状態を示す斜視図である。
【図７】本発明の第二実施形態において、専用床板を床下地材上に敷設し床下地材に配管孔部を形成した状態を示す側面図である。
【図８】本発明の第三実施形態において、専用床板を床下地材上に敷設する状態を示す斜視図である。
【図９】本発明の第三実施形態において、専用床板を床下地材上に敷設した状態を示す斜視図である。
【図１０】本発明の第三実施形態において、敷設された専用床板の縁に沿ってパネル材を立設させる状態を示す斜視図である。
【図１１】本発明の第三実施形態において、敷設された専用床板の縁に沿ってパネル材を立設させた状態を示す斜視図である。
【図１２】従来例に係る施工方法を示す斜視図である。
【図１３】従来例に係る別の施工方法を示す斜視図である。
【図１４】図１３に示す専用仕上げ材が設置された状態を示す斜視図である。
【符号の説明】
【００２８】
１      専用床板
１ａ    位置決め部
１ｂ    配管孔部
２      縦枠材
３      床下地材
４      フローリング
５      専用空間部
５ａ    クローゼット
５ｂ    押入
５ｃ    物入
５ｄ    トイレ
５ｅ    流し台据付部
５ｆ    洗面台据付部
５ｇ    造付家具据付部
５ｈ    ピアノ据付部
１０      専用床板
２０      表面仕上げ材
３０      軸組みパネル
４０      専用仕上げ材
５０      パネル材
Ｂ      建物
【図１】
2005226314.tif 000003
【図２】
2005226314.tif 000004
【図３】
2005226314.tif 000005
【図４】
2005226314.tif 000006
【図５】
2005226314.tif 000007
【図６】
2005226314.tif 000008
【図７】
2005226314.tif 000009
【図８】
2005226314.tif 000010
【図９】
2005226314.tif 000011
【図１０】
2005226314.tif 000012
【図１１】
2005226314.tif 000013
【図１２】
2005226314.tif 000014
【図１３】
2005226314.tif 000015
【図１４】
2005226314.tif 000016